(57)【特許請求の範囲】
【請求項１】
胴部の一端に口部を有し、かつ他端に吊下げ用の舌片が形成され、胴部が２つ折り可能な軟質のプラスチック容器において、該舌片には、吊り下げのための吊り孔が形成されており、更に該舌片の一側辺から下辺にかけた周縁部に沿ってその外側から内側へ切り起こして形成される係止片の形成を可能とした所定の長さの薄肉弱化部を有してなることを特徴とするプラスチック容器。
【請求項２】
係止片は、前記切り起こしの先端部を前記口部の開口部に係止可能な略鉤状に形成した鉤状部と対応する鉤受け部を有する請求項１記載のプラスチック容器。
【発明の詳細な説明】
【０００１】
【発明の属する技術分野】
本発明は、使用後に胴部を２つ折り状に保持し、容積を小さくして廃棄処分することができるプラスチック容器に関する。
【０００２】
【従来の技術】
点滴注射液用容器のようなボトル状のプラスチック容器は、特開平６−２１８０２７号公報に記載されており、またボトル状のプラスチック容器であって、使用後に折り畳んだり、また小さくまとめて廃棄処分しようとするものは、特開平７−５２９３４号公報または特開平１０−１６７２４２号公報に記載されているものが知られている。
【０００３】
【発明が解決しようとする課題】
上記特開平７−５２９３４号公報に記載されているプラスチック容器においては、胴部に係合リングを一体に備えてあって、この係合リングを口部に掛けるようになっているが、係合リングには口部に掛けるための大きな孔を設けなければならないので、係合片が大きくて使用上邪魔になるうえ、口部から係合リングが外れやすいという欠点がある。また、前記特開平１０−１６７２４２号公報に記載されているものは、口部に螺合するキャップに係合突起を形成してあって、胴部を２つ折りした際にキャップの係合突起を胴部の底部側に形成した係合凹部に係合するようになっているので、キャップを分別廃棄することができないなどの欠点がある。
【０００４】
そこで、本発明の目的は、従来公知の吊下げ用舌片を備えた軟質のプラスチック容器の形状をそのまま崩すことなく、舌片に切り起こし可能な薄肉弱化部を形成しておくことで、胴部を２つ折りした容器の口部を舌片の切り起こし部で係止し、廃棄処分できるようにしたプラスチック容器を提供しようとするものである。
【０００５】
【課題を解決するための手段】
本発明は、上記目的を達成するため、請求項１と２に記載するプラスチック容器を提供する。すなわち、請求項１に係るプラスチック容器は、胴部の一端に口部を有し、かつ他端に吊下げ用の舌片が形成され、胴部が２つ折り可能な軟質のプラスチック容器において、該舌片には、吊り下げのための吊り孔が形成されており、更に該舌片の一側辺から下辺にかけた周縁部に沿ってその外側から内側へ切り起こして形成される係止片の形成を可能とした所定の長さの薄肉弱化部を有してなることを特徴とするものである。
【０００６】
請求項２に係るプラスチック容器は、請求項１記載のプラスチック容器において、係止片は、前記切り起こしの先端部を前記口部の開口部に係止可能な略鉤状に形成した鉤状部と対応する鉤受け部を有することを特徴とするものである。
【０００７】
【発明の実施の形態】
図面には本発明に係るプラスチック容器として輸液用のものを逆さに例示している。図１は本発明の一実施の形態に係るプラスチック容器の正面図、図２は同上側面図であって、（ａ）は胴部を２つ折りする前の態様を示す側面図、（ｂ）は胴部を２つ折り保持した態様を示す側面図、図３は図１に示すプラスチック容器の一部の詳細図であって、（ａ）は舌片から係止片を切り起こす前の態様を示す正面図、（ｂ）は舌片から係止片を切り起こして一方向に曲げかけた態様を示す正面図である。
【０００８】
１はプラスチック容器である。このプラスチック容器１は、胴部２、首部３、口部４からなり、胴部２の底部には舌片５が一連に形成されていて、舌片５には吊り下げのための吊り孔６が形成されている。
【０００９】
プラスチック容器１は、熱可塑性プラスチックをブロー成形して一体に成形されるものであり、その胴部２は、薄肉でかつ扁平状をなしていて、図２の（ｂ）に示すように、略上下半分に２つ折り可能である。なお、図示しないが、胴部２の上下略半分の部位には、２つ折りを補助するための折り線を設けておけば、胴部２の２つ折りが容易にしかも確実にできる。
【００１０】
胴部２の底部に一連に形成された舌片５には、胴部２を２つ折りして口部４に係止するための係止片部７'が設けられている。この係止片部７'は、舌片５の一側辺から下辺にかかる形状に形成されていて、その全体が引きちぎり可能な薄肉弱化部８を介して舌片５と一体成形されており、係止片７は薄肉弱化部８を引きちぎるようにして切り起こすと、その係止片７の基端は舌片５と薄肉のヒンジ部９を介して連接された状態となる。
【００１１】
胴部２を２つ折りして口部４の開口部に係止するための係止片７は、その先端部が口部４に係止する略鉤状部１０をなしており、舌片５には係止片７を切り起こした後の形跡を示す略鉤状部１０と対応する鉤受部１１が形成されている。
【００１２】
胴部を２つ折りして口部４に係止するための係止片７は、まず舌片５の鉤受部１１から鉤状部１０をまず切り離して薄肉弱化部８を引きちぎるように舌片５から切り起こせば、図３の（ａ）の状態から（ｂ）に示すように、その基端のヒンジ部９を介して任意の向きに曲げ可能な係止片７を形成できる。なお、係止片７の鉤状部１０は、図２の（ｂ）に示すように係止片７の先端を口部４の開口部に挿入して確実に係止保持される形態をなしている。
【００１３】
本発明に係るプラスチック容器１は、使用後に図２の（ａ）の状態から図２の（ｂ）に示すように胴部２を２つ折りにし、舌片５から切り起こした係止片７を口部４に掛けやすいように基端のヒンジ部９を介して捻じ曲げて向きを変える。そして、係止片７の先端を口部４の開口部に挿入してその鉤状部１０を口部４に係止する。
【００１４】
このように、胴部２を２つ折り状態に保つことにより、使用後のプラスチック容器１はその容積を小さくまとめて廃棄処分することができる。
【００１５】
【発明の効果】
以上説明したように、本発明のプラスチック容器は、従来の容器形状を崩さずに、その吊下げ用舌片の一部分を切り起こし係止片部を形成できる構造としてあるので、容器の胴部を2つ折りの容積を小さくした小体積の状態に容易に保つことができ、搬送効率も良く、コスト安に製造できるものである。また、使用後の資源としての再利用も可能であり、従来通りの焼却処分も可能であるという優れた効果を有する。
【図面の簡単な説明】
【図１】  本発明の一実施の形態に係るプラスチック容器の正面図である。
【図２】  同上側面図であって、（ａ）は胴部を２つ折りする前の態様を示す側面図、（ｂ）は胴部を２つ折り保持した態様を示す側面図である。
【図３】  図１に示すプラスチック容器の要部の詳細図であって、（ａ）は舌片から係止片を切り起こす前の態様を示す正面図、（ｂ）は舌片から係止片を切り起こして一方向に曲げかけた態様を示す正面図である。
【符号の説明】
１  プラスチック容器
２  胴部
３  首部
４  口部
５  舌片
６  吊り孔
７  係止片
７'  係止片部
８  薄肉弱化部
９  ヒンジ部
１０  鉤状部
１１  鉤受部
１２  周縁部
【図１】
0003981298.tif 000002
【図２】
0003981298.tif 000003
【図３】
0003981298.tif 000004